(57)【要約】【課題】  製作が容易であり、アーチワイヤの固定及び開放操作を容易に行うことができるブラケットを提供する。【解決手段】  歯面に固着するベース２上にアーチワイヤの取付体３を立設したブラケット本体１と、上記ブラケット本体にアーチワイヤを固定するロック部材２０とを備えた歯列矯正用ブラケットであって、上記取付体３は、その上側部には左右方向にアーチワイヤスロット４を設け、、該スロットの歯先側側壁上端部には係止突部７を設けると共に、歯先側基部には屈曲可能な係止片８を突設して、該係止片とベース間に軸溝９を形成してある。  上記ロック部材２０は弾性材で形成するものであって、その基部に前記軸溝に挿入し得る軸部２１を設け、該軸部の両端部には取付体の両側に沿ってスライドし得る一対の腕部２２、２２を設け、両腕部の先端部は結合すると共にＬ状に屈曲して前記係止突部からスロット上に亘り圧着係止し得る引掛部２３を形成してある。【選択図】  図１
0003143119.tif 000002
【実用新案登録請求の範囲】
【請求項１】
歯面に固着するベース上にアーチワイヤの取付体を立設したブラケット本体と、上記ブラケット本体にアーチワイヤを固定するロック部材とを備えた歯列矯正用ブラケットであって、上記取付体は、その上側部には左右方向にアーチワイヤスロットを設け、該スロットの歯先側側壁上端部には係止突部を設けると共に、歯先側基部には屈曲可能な係止片を突設して、該係止片とベース間に軸溝を形成してあり、上記ロック部材は、その基部に前記軸溝に挿入し得る軸部を設け、該軸部の両端部には取付体の両側に沿ってスライドし得る一対の腕部を設け、両腕部の先端部は結合すると共にＬ状に屈曲して、前記係止突部からスロット上に亘り圧着係止し得る引掛け部を形成してあることを特徴とする歯列矯正用ブラケット。
【請求項２】
前記取付体のスロットを、ベース面に対して所要角度傾斜させて、該スロットの開口面がフック側を向くように形成してあると共に、ロック部材の引掛け部の後側部が係止突部の外側に当接できるように屈曲してあることを特徴とする請求項１記載の歯列矯正用ブラケット。
【考案の詳細な説明】
【技術分野】
【０００１】
本考案は、歯面に装着して、アーチワイヤ(矯正ワイヤ)の固定及び開放操作を行うことができるようにしたブラケットに関する。
【背景技術】
【０００２】
従来、この種ブラケットにおいては、ブラケット本体のスロット内に収容したアーチワイヤを、該ブラケット本体に設けたタイウイングを利用して、金属線(リガチャーワイヤ)
や輪ゴムで縛り付けるものと、該ブラケット本体にワイヤを繋ぎ止める金具を付設して、アーチワイヤを固定することができるようにしたセルフリゲーティングブラケット（Self-ligating bracket）がある。
【０００３】
而して、上記セルフリゲーティングブラケットには、一対の歯茎側ウイングと咬合側ウイングとを備え、ウイング間にアーチワイヤを収容する垂直スロットを形成した本体と、先端部に２つの弾性アーム部材を設け、咬合側ウイングの周囲を回動し得るようにした揺動シャッターとを備え、前記両アーム部材をスロット内に設けた溝に係脱させることにより、アーチワイヤをスロット内に固定及び開放するようにしたものがあった。
【特許文献１】特表２００１−５０３３０５号公報
【考案の開示】
【考案が解決しようとする課題】
【０００４】
上記従来のブラケットにおいては、その構造が複雑で製作に手間が掛かると共に、アーチワイヤの固定及び開放操作を円滑に行いがたい難点があった。
そこで、本考案は、上記従来の難点に鑑み、構造が簡単で製作が容易であり、アーチワイヤの固定及び開放操作を容易に行うことができるようにした歯列矯正用のブラケットを提供するものである。
【課題を解決するための手段】
【０００５】
上記目的を達成するために、本考案のブラケットは、歯面に固着するベース上にアーチワイヤの取付体を立設したブラケット本体と、上記ブラケット本体にアーチワイヤを固定するロック部材とを備えており、上記取付体は、その上側部には左右方向にアーチワイヤスロットを設け、スロットの歯先側側壁上端部には係止突部を設けると共に、歯先側基部には係止片を屈曲可能に突設して、該係止片とベース間に軸溝を形成してあり、上記ロック部材は弾性板で形成するものであって、その基部に前記軸溝に挿入し得る軸部を設け、該軸部の両端部には取付体の両側に沿ってスライドし得る一対の腕部を設け、両腕部の先端部は結合すると共にＬ状に屈曲して、前記係止突部からスロット上に亘り圧着係止し得る引掛け部を形成してある。
また、前記取付体のスロットをベース面に対して所要角度傾斜させて、該スロットの開口面がフック側を向くように形成すると共に、ロック部材の引掛け部の後側部が係止突部の外側に当接できるように屈曲形成する場合もある。
【考案の効果】
【０００６】
本考案のブラケットによれば、請求項１に記載したように、取付体の上側部には左右方向にアーチワイヤスロットを設け、該スロットの歯先側側壁上端部には係止突部を設けると共に、歯先側基部には屈曲可能な係止片を突設して、該係止片とベース間に軸溝を形成してあり、弾性版からなるロック部材は、その基部に前記軸溝に挿入し得る軸部を設け、該軸部の両端部には取付体の両側に沿ってスライドし得る一対の腕部を設け、両腕部の先端部は結合すると共にＬ状に屈曲して、前記係止突部からスロット上に亘り圧着係止し得る引掛け部を形成してあるので、リガチャーワイヤを用いることなく、アーチワイヤの固定及び開放操作を、確実且つ容易に行うことが出来るので、歯列矯正作業を円滑に行うことが出来る。
而して、スロット内のアーチワイヤは、弾性を有するロック部材の引掛け部が係止突部に圧着係止した状態で、その先端部により強く押圧されているているので、矯正作業中にアーチワイヤに引張力が作用してもブラケットから濫りに外れる惧れが無く、矯正作業を安心して行うことが出来る。
また、構造が簡単であって製作が容易であるから、コストを低減することができる利点もある。
【０００７】
また、請求項２に記載したように、前記スロットをベース面に対して所要角度傾斜させて、その開口面がフック側を向くように形成すると共に、ロック部材の引掛け部の後側部が係止突部の外側に当接できるように屈曲したブラケットは、特に前歯や犬歯の歯列矯正に用いて好適であり、アーチワイヤを適正位置に確実に止着できると共にその作業も容易である。
【実施例１】
【０００８】
次に添付図面に従って本考案の実施例を説明する。本実施例のブラケットは、特に小臼歯等の歯列矯正に用いるものである。
図１乃至図５において、１はブラケット本体であって、歯に止着する平たいベース２上に取付体３を立設してある。
前記取付体３は、その上側中央部には、近遠心方向に、アーチワイヤＷを収容するスロット４を設けてある。
また、前記スロット４の歯茎側外側部にはスロット４に沿ってＴ形状のフック５を突設してあり、スロット４の歯先側外側部にはフック５と反対向きにタイウイング６を突設すると共に、該スロット４の歯先側側壁の上端部には弧状の係止突部７を形成してある。
また、前記取付体３の歯先側基部には、屈曲可能な係止片８をタイウイング６と同方向に突設して、ベース２との間に軸溝９を形成してある。
【０００９】
２０は弾性板で形成したロック部材であって、その基部には前記軸溝１１に挿入し得る軸部２１を設け、該軸部２１の両端部には取付体３の両側壁１２，１２に沿ってスライドし得る一対の腕部２２，２２を設け、両腕部２２の先端部は結合されていると共に全体を側面Ｌ状に屈曲して、前記係止突部７からスロット上に亘り圧着係止し得る引掛け部２３を形成してある。
而して、軸部２１を前記軸溝９内に挿入し、前記係止片８を下方に屈曲させて軸溝９を閉塞することにより、回動可能に軸着されている。
【００１０】
次に作用につき説明すると、図３に示すように、アーチワイヤＷをスロット４内に収容した後、引掛け部２３をピンセットのような器具で実線で示す方向に押すと、両腕部２２，２２は軸部２１を支点として、取付体１の側壁１２、１２に沿ってスライドする。
而して、引掛け部２３を係止突部７上に被せるようにしてに強く押圧すると、該引掛け部２３は係止突部７上に圧着係合すると共に、引掛け部２３の先端部は、その弾力でスロット４内のアーチワイＷを上から強く押え込む。
また、スロット４内よりアーチワイヤＷを取外すには、引掛け部２３を鎖線で示す方向に強く押すと、引掛け部２３が係止突部７上から離脱するので、スロット上部が開放され、直ちにアーチワイヤＷをスロット４から取り出すことが出来る。
また、取付体３の外側部には、フック５及びタイウイング６を夫々配設してあるので、該フックとタイウイング間にリガチャーワイヤを掛け渡すことによって、アーチワイヤＷをスロット内に縛着することもできる。
【実施例２】
【００１１】
次に、本考案における別実施例を図６及び図７で説明する。なお、上記実施例１と同じ構成部分には同一の符号を付した。
上記実施例１では、アーチワイヤＷを収容するスロット４をベース２面に対して直角向きに形成したのに対して、本実施例では、該スロット４をベース２面に対して所要角度α傾斜させて、該スロット４の開口面がフック５側に向くように形成してある。
また、上記実施例１においては、取付体３をベース２の中央部に固着してあるが、本実施例においては、ベース２の歯先側を一段と長く形成して、取付体３をベース２の歯茎側部に固着してある。このベース２は歯面が比較的縦長の前歯や犬歯に接着し易いようにした。
【００１２】
また、ロック部材２０の形状も上記実施例１のものと類似であるが、両腕部２２、２２の引掛部２３側の後側部２４を、係止突部７の外側に当接できるように所要角度屈曲させてあるところが相違する。
なお、アーチワイヤの固定及び開放操作は実施例１と同様であって、引掛け部２３を係止突部７上に被せるようにして強く押圧すると、背部分２４が係止突部７に当接すると同時に、引掛け部２３の先端部がスロット４内のアーチワイヤＷを強く押え込む。
而して、上記のように形成したことにより、本実施例におけるブラケットは、特に、歯面がやや長めの前歯や犬歯の歯列矯正に使用すると、ブラケットを歯面に固着し易いと共に、アーチワイヤを適正位置に確実に止着でき、その作業も容易である。
【産業上の利用可能性】
【００１３】
歯列矯正を行うに際し、アーチワイヤの固定及び開放操作を、確実且つ容易に行うことが出来るので、歯列矯正作業において有効に利用することが出来る。
【図面の簡単な説明】
【００１４】
【図１】実施例１におけるブラケットの正面図である。
【図２】同上側面図である。
【図３】ロック部材を係止突部に係着した状態の中央縦断面図である。
【図４】ブラケット本体の正面図である。
【図５】ロック部材の斜視図である。
【図６】実施例２におけるブラケット本体の正面図である。
【図７】ブラケットの正面図である。
【符号の説明】
【００１５】
１    ブラケット本体
２    ベース
３    取付体
４    スロット
５    フック
６    タイウイング
７    係止突部
８    係止片
９    軸溝
２０  ロック部材
２１  軸部
２２  腕部
２３  引掛け部
【図１】
0003143119.tif 000003
【図２】
0003143119.tif 000004
【図３】
0003143119.tif 000005
【図４】
0003143119.tif 000006
【図５】
0003143119.tif 000007
【図６】
0003143119.tif 000008
【図７】
0003143119.tif 000009